(57)【要約】  本発明は、ＲＦＩＤタグを利用したＵ（ユビキタス）−安心サービスであって、従来のＲＦＩＤを利用したシステムが空間的な制約を多く受け、一つのアパート団地、テーマパークなどのように、局所的に使われていたことに対して、本発明は、広い認識範囲を有するＲＦＩＤリーダを街頭の所々に位置させ、前記ＲＦＩＤリーダを通じて位置情報を受信しつつ、また、携帯電話に設置されたまた他のＲＦＩＤリーダを通じて、ＲＦＩＤをクリックする回数に応じて、予め保存されたメッセージとともに運営サーバに伝送することによって、使用者が無事であるというメッセージを通じて使用者の保護者を安心させることができ、また、保護者は、使用者の位置情報を運営サーバを通じて随時把握することができ、危急な状況が発生した場合には、社会的セーフティネットに直ちに連結するようにすることで、危急な状況に迅速に対処できるようにするシステムを提供する。【選択図】      図１
2012511719.tif 000002
【特許請求の範囲】
【請求項１】
ＲＦＩＤタグを利用して使用者の位置を確認するシステムであって、
固有の識別情報を有するＲＦＩＤタグと、
前記ＲＦＩＤタグの識別情報を無線で受信するＲＦＩＤリーダと、
前記ＲＦＩＤリーダと有無線で連結されて、前記ＲＦＩＤリーダでＲＦＩＤタグの固有の識別情報と位置情報とを受信して、使用者ＤＢ内に保存されている連絡先に前記位置情報を送信する運営サーバを含む、ＲＦＩＤタグを利用して使用者の位置を確認するシステム。
【請求項２】
前記ＲＦＩＤタグは、クリック手段をさらに含み、前記ＲＦＩＤリーダは前記ＲＦＩＤタグのクリック回数を認識して前記識別情報、位置情報とともに前記運営サーバに送信し、前記運営サーバは、前記ＲＦＩＤタグのクリック数による予め設定されたシナリオに従って、他の使用者に前記位置情報と、それによるメッセージとを伝達することを特徴とする、請求項１に記載のＲＦＩＤタグを利用して使用者の位置を確認するシステム。
【請求項３】
前記シナリオは、警察署、消防署、警備会社、市、郡、区役所を含む社会的セーフティネットに緊急状況であることを知らせることをさらに含む、請求項２に記載のＲＦＩＤタグを利用して使用者の位置を確認するシステム。
【請求項４】
前記ＲＦＩＤリーダは、携帯電話に連結されるＲＦＩＤリーダと街頭に設置されて位置情報を送信するＲＦＩＤリーダとに区別され、前記ＲＦＩＤタグがクリックされると、前記街頭に設置されるリーダは、前記ＲＦＩＤの固有識別情報を受信して位置情報とともに前記運営サーバに伝送し、前記携帯電話に連結されるＲＦＩＤリーダは、使用者の固有識別情報を認証した後、クリック数に応じて安心文字を入力して、移動通信網を介して前記運営サーバに伝送することを特徴とする、請求項２に記載のＲＦＩＤタグを利用して使用者の位置を確認するシステム。
【請求項５】
前記運営サーバは、使用者によるシナリオ別の連絡先と固有情報とを含む使用者ＤＢと、前記使用者の時間別の位置の内訳を保存する時間別位置ＤＢと、前記シナリオの内容を修正するためにログインしたログ内訳を保存するログＤＢと、を含むことを特徴とする、請求項２に記載のＲＦＩＤタグを利用して使用者の位置を確認するシステム。
【請求項６】
前記タグは、保護者用と被保護者用、又は、このような区分がないもので構成されて、前記被保護者用は、タグを押すとき、自分の位置情報を保護者に伝送するようにし、前記保護者用は、タグを押すとき、被保護者の位置情報を受信するようにすることができ、このような区分がない場合、グループに指定されている使用者のうちいずれか一人がタグを押すと、グループ内の全員に位置が伝達されるようにすることを特徴とする、請求項５に記載のＲＦＩＤタグを利用して使用者の位置を確認するシステム。
【請求項７】
前記使用者の移動経路または移動地域が予め入力されている移動経路（地域）を離脱した場合、前記使用者の保護者に直ちに知らせるようにすることを特徴とする、請求項５に記載のＲＦＩＤタグを利用して使用者の位置を確認するシステム。
【発明の詳細な説明】
【技術分野】
【０００１】
本発明は、どこでも位置情報を送信することができるＲＦＩＤタグを用いたＵ（ユビキタス）−安心サービスに係り、ＲＦＩＤタグのタグ情報を獲得した後、該タグ情報の現在位置を把握し、ここにメッセージまでも付加して送信するようにする位置確認サービスシステム及び方法に関するものである。
【背景技術】
【０００２】
現在、ＲＦＩＤは、モノや動物または人などを識別するために、電磁気スペクトラム部分の無線周波数内に、電磁気または静電気カップリングの使用を統合させた技術であって、バーコードを代替する技術として産業界での使用が漸増している。
【０００３】
このような、ＲＦＩＤシステムは、アンテナリーダと、トランスポンダと呼ばれるタグとで構成される。アンテナは、タグを活性化させるための信号を伝達するために無線周波数電波を使用し、これによってタグが活性化されると、タグが持っていたデータをアンテナに伝送する。このような処理には、ドアを通過する程度の単純なものから、データベースが連動した販売取引行為のように複雑なものに至るまで、様々なものが含まれる。
【０００４】
このようなＲＦＩＤ技術は多様な分野において使われており、幼児、老人、ペットなどの位置を確認し、位置を追跡する分野に使用されてきた。韓国公開特許第２００３−００２９９６８号のような場合にも、利用者の位置を確認するシステムを提供しているが、該特許はテーマパーク、スキーリゾートのような施設を利用する利用者が、現在、どの位置にいて、どのような施設を利用しているかを把握して料金を算定するために考案されたものであって、幼児、老人などの位置確認に適用するには、その利用空間が施設内に限定されており、緊急状況の発生時に対処が難しいという短所がある。
【０００５】
その他にも、ＷＬＡＮ網を介して、ＲＦＩＤタグを利用して流動ターゲットの空間内位置を確認するようにし、その位置をＳＭＳサーバを利用して伝送できるようにし、無線ＡＰにＲＦＩＤ認識装備をアップロードしてＷＬＡＮ網を介して運営サーバに伝送することで位置確認が可能なようにして、位置確認が可能な領域を広げもしたが、どこに移動するか分からない幼児などの位置確認には不十分であった。また、単方向に送られる位置情報を受信するだけなので、拉致、事故などの緊急状況が発生した場合には、継続的に親が幼児の位置を確認しているとしても、事故が発生したことが分からないので、特別な措置を取ることができず、また、拉致が発生しても、単なる位置情報だけでは危急状態が分からないので、その状況を解決することができなかった。
【発明の概要】
【発明が解決しようとする課題】
【０００６】
本発明は、上記のような問題点を克服するために案出されたものであり、従来のＲＦＩＤタグを用いた位置確認サービスが、単純な位置確認に限られるだけでなく、位置確認が可能な領域もどうしても制限的であったため、緊急状況が発生したときに、緊急状況であるという信号を送ることのできる手段がなかったという短所を克服して、より広い場所をカバーしつつ、なおかつ社会的セーフティネットと連係して身柄保障が可能なようにするサービスを提供することを目的とする。
【課題を解決するための手段】
【０００７】
上記目的を達成するために、ＲＦＩＤタグを用いて使用者の位置を確認するシステムを提供し、該システムは、固有の識別情報を有するＲＦＩＤタグと、前記ＲＦＩＤタグの識別情報を無線で受信するＲＦＩＤリーダと、前記ＲＦＩＤリーダと有無線で連結されて、前記ＲＦＩＤリーダでＲＦＩＤタグの固有の識別情報と位置情報とを受信して、使用者ＤＢ内に保存されている連絡先に前記位置情報を送信する運営サーバと、を含むことができる。
【０００８】
前記ＲＦＩＤタグは、クリック手段をさらに含み、好ましくは、前記ＲＦＩＤリーダは、前記ＲＦＩＤタグのクリック回数を認識して、前記識別情報と位置情報とともに前記運営サーバに送信し、前記運営サーバは、前記ＲＦＩＤタグのクリック数による予め設定されたシナリオに従って、他の使用者に前記位置情報と、それによるメッセージとを伝達することができる。前記シナリオは、警察署、消防署、警備会社、市、郡、区役所を含む社会的セーフティネットに緊急状況であることを知らせることを、さらに含むことができる。
【０００９】
前記ＲＦＩＤリーダは、携帯電話に連結されるＲＦＩＤリーダと街頭に設置されて位置情報を送信するＲＦＩＤリーダとに区別され、好ましくは、前記ＲＦＩＤタグがクリックされると、前記街頭に設置されるリーダは、前記ＲＦＩＤの固有識別情報を受信して位置情報とともに前記運営サーバに伝送し、前記携帯電話に連結されるＲＦＩＤリーダは、使用者の固有識別情報を認証した後、クリック数によって予め保存されているメッセージを、または使用者が安心文字（メッセージ）を入力して、移動通信網を介して前記運営サーバに伝送することができる。
【００１０】
前記運営サーバは、使用者によるシナリオ別の連絡先と固有情報とを含む使用者ＤＢと、前記使用者の時間別の位置の内訳を保存する時間別位置ＤＢと、前記シナリオの内容を修正するためにログインしたログ内訳を保存するログＤＢと、を含むことができる。
【００１１】
前記タグは、保護者用と被保護者用、又は、このような区分がないもので構成されて、好ましくは、前記被保護者用は、タグを押すとき、自分の位置情報を保護者に伝送するようにし、前記保護者用は、携帯電話やホームサーバなどに内蔵されている安心メニューをクリックして、文字メッセージやタグ、被保護者の位置情報を受信するようにすることができ、このような区分がない場合、グループに指定されている使用者のうちいずれか一人がタグを押すと、グループ内の全員に位置が伝達されるようにすることができる。
【００１２】
好ましくは、前記使用者の移動経路（地域）が予め入力されている移動経路を離脱した場合、前記使用者の保護者に直ちに知らせるようにすることができる。
【発明の効果】
【００１３】
上記のようなシステムによって、常時、使用者の位置が分かり、危急状況のときにも直ちに迅速な対処が可能なようにすることができる。
【図面の簡単な説明】
【００１４】
【図１】本発明によるシステムの構成図を示す図である。
【図２】本発明による運営サーバの構成を示す図である。
【図３】本発明による処理順序を示す流れ図である。
【発明を実施するための最良の形態】
【００１５】
以下、添付の図面を参照しつつ、本発明を詳細に説明する。本発明で提供するサービスは、使用者が生活の根拠地や社会活動をするにあたり、拉致、誘拐、ならず者、強盗、痴漢などの危険から使用者相互間での連絡が可能なようにすることによって、不安を解消し、危急状況に対して迅速に対処し、より安心して生活できるようにするものであって、ＲＦＩＤタグを通じた位置確認とこれに対する通信とを、携帯電話の通信網を利用するようにすることで、相互間の連絡が可能であると同時に、非常通信が可能なようにする。
【００１６】
図１は、本発明による一実施例であって、ＲＦＩＤリーダを使用する例である。ＲＦＩＤリーダは、費用があまりかからず、かつ、最近、技術の発達によって約２５ｍ以上の距離でも認識が可能なようになっており、２５ｍ以上の距離は、住宅街、商店街などの密集地域と、学校を中心に５０(２５＊２)ｍ以上の距離を置いてリーダを設置するとき、さほど多くのリーダを必要とせず、それ以上の受信距離を有するものを設置する場合には、必要なリーダの数を急激に減少させることができ、このような設置によって地域内のどこでもＲＦＩＤタグ信号を受信することができるようにする。
【００１７】
また、リーダのない場合であっても、携帯電話にＲＦＩＤリーダを装着させることによって、リーダのない地域でも携帯電話の通信網を介して現在位置を送受信可能にすることができる。このとき、現在位置はＧＰＳを利用して別に受信するようにすることができる。また、現在、無線インターネット通信が広く使われており、駅の周辺にも無線インターネットのためのＡＰが多く設置されており、家庭でも無線インターネットを多く使用しており、ＡＰの役割をする各種機器が多く使われているので、別途のリーダを設置しなくても、このような各種機器にＲＦＩＤリーダ機能を付加することによって、設置の重複による投資の重複を防ぎ、容易に接続できるようにすることができる。
【００１８】
図１に示すように、住宅街、市内などに所定の距離を置いて設置されているリーダを通じて、ＲＦＩＤタグにあるタグ情報は前記リーダを通じて運営サーバに伝達される。運営サーバは、該当のＲＦＩＤタグの情報と運営サーバに連結されている使用者ＤＢの情報とをマッチングさせて、使用者ＤＢに予め保存されている受信用の携帯電話番号など（ＩＰアドレス、一般電話、インターネットアドレス）を用いて、移動通信網を介して該当の携帯電話番号に前記ＲＦＩＤタグ所持者の現在位置情報を伝達することになる。好ましくは、受信用の携帯電話番号は、前記ＲＦＩＤタグ所持者の保護者である。また、予め保存されている案内メッセージを一緒に受信するようにしても良く、非常時でない場合には、携帯電話で安心文字をともに作成してメッセージを伝達することもできる。
【００１９】
また、運営サーバは、使用者ＤＢ内の時間別位置ＤＢ内に使用者の移動状況を継続的に保存しておくようにすることができ、このような事項は、インターネットなどの通信網を介して接続することによって確認が可能なようにすることができる。現在位置は、ＲＦＩＤタグを一回クリックしたとき、使用者や使用者の保護者側に直ちに送信させることができる。また、ホームサーバ、ＰＤＡなどのＰＣ対応手段を用いても運営サーバに接続ができ、直ちに現在位置に対する確認が可能なようにし、ＰＣなどを利用できない場合でも、電話を利用して現在及び過去の位置確認が可能なようにすることができる。
【００２０】
また、現在の位置が使用者が移動すべき経路上（地域範囲内）にない場合には、直ちに保護者に知らせることができるようにし、このために、保護者は事前に使用者が移動すべき経路（地域）を入力しておくようにすることができる。
【００２１】
また、運営サーバは、市郡区、或いは、市や道の社会的セーフティネット（警察署、消防署及び市郡区の担当センター）などにインターネット、電話網などを介して連結されることによって、緊急状況が発生した場合に、これを直接通報できるようにすることができる。
【００２２】
このために、本発明によるＲＦＩＤタグには、単なる位置識別信号だけでなく、使用者が発信する信号を伝達することができるようにし、これは、タグを何回押したかをチェックして、押した回数によって行われる行動を予め設定しておき、その行動が行なわれるようにすることができる。
【００２３】
例えば、ＲＦＩＤタグを１乃至２回押す場合には、予め設定されたまた他の使用者、又は保護者に、使用者がどこにいるのかと共に、使用者が予め設定しておいた安心文字や、携帯電話を用いてメッセージ（例えば、「３時に行くよ」など)を入力して、予め設定されたまた他の使用者に一緒に発送するようにすることができる。
【００２４】
また、３乃至４回押す場合は、使用者が用途を指定して使用するときであって、今のところは危急な状況ではないが、使用者の位置に注目してほしいという注意文字を送るようにすることができ、使用者間で予め設定（約束／プロトコル）された機能を行うように、使用者が定義して使用することができる。（グループ会、会員、友人、恋人、患者／医師、メンターなど）。
【００２５】
また、５回以上押したり、４秒以上長押しする場合には、危険／危急状況であることを知らせ、予め設定された使用者や警察署、社会福祉士、医師、セキュリティー会社などの社会的セーフティネットに連絡して危急状況が発生したことを知らせ、助けてもらう人を指定して対処できるようにする。例えば、独居老人が突然倒れた場合、意識があれば、複数回押すようにして危険を知らせたり、一定時間毎に一回ずつタグを押すようにし、タグが押されない場合、運営サーバは、タグが続けて押されなかったことを社会福祉士に知らせて、訪問してみるようにすることができる。また、一定期間（１日基準２４時間)タグ使用がない者（例えば、注意を要する老人や患者など、保護対象者）については、運営サーバから必要な情報を関心者（指定者）に伝達することによって、保護観察対象者が放置されるケースがないようにすることができる。
【００２６】
上記の押す回数は、決められた各行動の重要度によって変更可能であり、危急な状況である場合には、さらに多く押すようにしたり、押し続けているようにすることができ（４秒以上）、正確に何回と定めておくと、危急な状況では回数を数えることが難しいので、それよりは、一定の範囲を定める方が良い。また、ＲＦＩＤタグは様々な形態で製作して使用することができ、各種穴からぶら下げたり、腰に付けたり、財布／カード式で使用したり、ボタン形状など、各種形態で作ることができ、危急な状況において直ちにタッチが可能な位置に置くのが良い。また、１乃至２回は、無意識のうちに押されることもあるので、１、２回のクリックは、単なる位置送信のみを行うようにするのが良い。
【００２７】
また、携帯電話にＲＦＩＤリーダ機能を付加させることもでき、勿論、携帯電話にも緊急通知機能が加わっているものがあるにはあるが、緊急通知機能があっても、携帯電話を取り出して作動させなければならないので、本当に危険な瞬間には動作させることができない場合が発生する恐れがある。したがって、ＲＦＩＤリーダ機能を携帯電話に付加して、危急状況には腰につけているタグを押し続けるようにすれば、携帯電話を取り出すのよりは、容易に危急状況を知らせることができる。
【００２８】
また、携帯電話に付着されたリーダとタグとの距離はさほど離れていないので、誤作動を起こす可能性が少なく、携帯電話のリーダで作動するタグの使用者を認識して、周囲の人々からの信号を遮断する代わりに、タグを複数回押したり、押し続けたりする場合のような危急信号は、誰の信号でも受け取って運営サーバに送るようにすることができる。
【００２９】
例えば、家に帰宅する息子がタグを１乃至２回押した場合、携帯電話でこの信号を受信し使用者の認証を行った後、使用者に該当すれば、携帯電話に予め設定された安心メッセージ又は安心文字を入力して、情況情報と一緒に、移動通信網を介して予め設定された他の使用者に伝達されるようにする。このとき、携帯電話は使用者とともに動き続けるため、携帯電話にＧＰＳのような装置があれば、ＧＰＳから把握された位置情報と一緒に保護者に送信することもでき、周囲の街頭に設置されている他のリーダから入ってきた位置情報と、移動通信網を介して運営サーバに送られた情報とを、運営サーバが統合して、予め設定された他の使用者（親）に送るようにすることができる。したがって、親は安心文字と位置情報とを一緒に受け取ることができる。
【００３０】
また、親の方からも携帯電話やインターネット網を介して運営サーバに文字メッセージを送り、どこまで来ているかを尋ねることができ（安心メニュー利用）、このとき、携帯電話で文字メッセージを受信すると同時に、携帯電話は、現在位置を送信するよう使用者に要求することができる。
【００３１】
このような位置情報のやりとりは、保護者一人だけでなく、予め設定されたグループ内の全ての人々とも行うことができ、グループ内においては全員がデータを位置情報とともにやりとりするようにすることができる。
【００３２】
ＲＦＩＤタグのコード体系は、次のように構成可能である。例えば、コードは１０桁で構成することができ、最初の桁を０番とし、最後の桁を９番とする。０番は予備（国コード）で、１、２番は市都センター区別用の桁で、３〜４番は市郡区センター区別用の桁で、５〜６番は町、村単位のセンター区別用の桁で、７〜８番は地域内で予め設定された各ＲＦＩＤリーダの位置を表示するための桁で、９番は予め設定されたグループのうち、誰なのかを表示する用途で使用することができる。すなわち、ＲＦＩＤ信号をリーダが受信すると、１乃至８番目の桁によってリーダの位置が分かり、タグからリーダに送信される構成員の表示によって誰が該当の位置にいるかが分かることになる。すなわち、１乃至８番はリーダにより決定され、９番によって誰からの信号なのかが決定される。上記のコードは、携帯電話番号と一緒に送信される場合、その携帯電話番号が誰なのかを識別する固有番号になり、携帯電話なしでリーダのみで認識する場合は、桁数を増やし、使用者を認識することができる固有番号を入れて認識するようにすることができる。上記の固有番号は、携帯電話番号であっても良い。上記の例は、実施例に過ぎず、実際の実施のために、固有番号及び位置情報は様々な形態で加工することができる。
【００３３】
運営サーバは、使用者ＤＢに携帯電話番号、固有番号又はＩＤとして、連絡すべき人々（親、社会福祉士など）に関する情報と連絡先とを予め設定された等級によって指定しておき、該当の等級に該当する場合、設定された連絡先に連絡を取ることができる。そして、このような内容を新しく登録したり、修正する場合には、指定された場所、或いは、指定された者以外には、修正を行なうことができないようにして、第三者からの情報修正の可能性を根本から封鎖し、照会においても認証された者以外には情報の照会を許可せず、使用者ＤＢの修正のためにログインした場合は、該当のログを分析するようにし、バックアップ管理することで、後からでも追跡が可能なようにして犯罪に利用されるのを防ぐことができる。
【００３４】
上記のような発明によって、警察、消防署、福祉団体、警備会社などの社会的セーフティネットを連係して運営することができ、社会保障対象者や動作の不自由な人、老人や子供などの弱者、痴呆患者などの観察が必要な人、応急患者など、使用者の類型に応じた追加的なサービスが可能である。
【００３５】
また、公共の場所であれば設置を義務化し、子供保護エリア、犯罪地帯にはリーダを集中的に設置し、幼稚園及び学校の周囲の何メートル以内は義務的に適用するようにし、親以外にも、幼稚園や学校であれば先生や園長に通報するようにし、アパートであれば警備室、管理室に位置情報を通報するようにし、犯罪地帯であれば地区防犯センターや地域防犯センターに通報するようにすることができる。また、迷子探しや災害・災難時の行方不明者の捜索などにも活用できる。
【００３６】
図２は、運営サーバの構成図を示す。運営サーバは、使用者ＤＢと、時間別位置ＤＢと、ログ記録ＤＢとを含んでおり、使用者ＤＢには加入者の個人情報とタグクリック時の各状況に対する連絡先などが保存されている。時間別位置ＤＢは、使用者がどこに位置していたかを継続的に保存することによって後からでも位置確認が可能なようにする。
【００３７】
時間別位置ＤＢには、使用者の移動に応じて使用者の位置が保存されるようにしているので、使用者がタグをクリックすることによって活性化され、該当の位置情報が運営サーバを通じて予め指定された他の使用者に伝達されるようにすることができる。クリックがない場合、位置情報は時間別位置ＤＢに保存されることができる。
【００３８】
ログ記録ＤＢは、使用者の情報を照会したり修正するためにログインしたコンピュータの位置、照会内訳などを保存して、むやみに情報が修正できないようにする。
【００３９】
図３は、本発明による流れ図を示す。本発明によるサービスに加入した使用者がタグを所持し、街頭に設置されたリーダを通じてタグが認識されると、ＲＦＩＤタグの固有情報（ＩＤ）とともにリーダの位置情報と、タグが何回押されたかを含むコードが運営サーバに送られ、運営サーバは使用者ＤＢを参考にして、タグのクリックによる連絡先を探し出して、該当の連絡先に位置情報を含むメッセージを送信することになる。また、予め設定された文字メッセージがある場合、一緒に送信することになる。
【００４０】
また、タグを押すとき、街頭に設置されたリーダだけでなく携帯電話に設置されたリーダを通じて、移動通信網を介して運営サーバに情報が送られることができ、運営サーバは、街頭に設置されたリーダを通じて受け取った位置情報と、携帯電話を通じて受け取った情報を比較し、押された回数を比較する。このとき、互いに認識された回数が異なる場合、携帯電話の方がより近くにあるので携帯電話を優先することができる。又は、初めから、携帯電話で押された回数のみをチェックして、街頭に設置されたリーダは位置情報のみを認識して送信するようにすることができる。また、街頭に設置されたリーダから受け取った位置情報と、携帯電話から受け取った安心文字とを結合して、予め設定された他の使用者、或いは、グループ内の使用者に送信することになる。タグは、保護者用と被保護者用、又は、このような区分がないものにそれぞれ分けることができ、被保護者用は、タグを押すとき、自分の位置情報を保護者に伝送するようにし、保護者用は、タグを押すとき、被保護者の位置情報を携帯電話を通じて受信するようにすることができ、このような区分がない場合、グループに指定されている使用者のうちいずれか一人がタグを押すと、グループ内の全員に位置が伝達されることができる。また、使用者がグループ内の他の使用者の位置情報を知りたい場合、運営サーバの時間別位置ＤＢを照会することによって現在位置を把握することもでき、運営サーバを通じて位置把握をしたい使用者の携帯電話にメッセージを送り、タグをもう一度押させるようにすることができる。
【００４１】
本発明で使用されるタグは、押さなくても自動的に位置を認識することができるように、継続的に作動することができ、タグを押す行為は使用者に問題がないことを確認するためである。
【符号の説明】
【００４２】
１１  ＲＦＩＤタグ
１２  ＲＦＩＤリーダ
１３  運営サーバ
【図１】
2012511719.tif 000003
【図２】
2012511719.tif 000004
【図３】
2012511719.tif 000005
【国際調査報告】
2012511719.tif 000006
2012511719.tif 000007
2012511719.tif 000008
2012511719.tif 000009